(57)【要約】【課題】電源もしくは電池を利用することなく擬似破裂音を繰り返し発生できる擬似破裂音発生器を実現する。【解決手段】空洞３１ａを有する複数の円柱状のボタン３１が２次元配置された柔軟なカバー３で平坦な表側収容部２２を覆う。表面に表側突起４１、裏面の表側突起４１と同位置に裏側突起４３がそれぞれ２次元配置されたシート４を表側突起４１が空洞３１ａ内に収容された状態で表側収容部２２とカバー３との間に積層する。シート４の下方且つ表側収容部２２上において、シート４側に凸となる湾曲姿勢を維持するように付勢された湾曲部６２を有する金属薄板からなる複数の擬似破裂音発生板６を２次元配置する。ボタン３１を押下すると、湾曲部６２は裏側突起４３よって下方に押されて表側収容部２２側に凸に湾曲するとともに擬似破裂音を発し、ボタン３１を離すと金属薄板の弾性によって湾曲姿勢に復帰する。【選択図】図８
0003183862.tif 000002
【実用新案登録請求の範囲】
【請求項１】
携帯電子機器用ケースに取り付けられて擬似破裂音を発生する擬似破裂音発生器であって、表面に２次元配列されたボタンを有し、該ボタンを押すと湾曲して前記擬似破裂音を発生し、前記ボタンを離すと復帰する擬似破裂音発生板を内蔵する擬似破裂音発生器。
【請求項２】
平坦な基板と、
該基板を覆う柔軟なカバーであって、該カバー上に内側に空洞を有する複数の円柱状ボタンが所定間隔で２次元配置されたカバーと、
前記基板と前記カバーとの間に積層されるシートであって、該シートの表面において前記所定間隔で２次元配置される第１の突起と裏面において該第１の突起と同位置に２次元配置される第２の突起とを有し、前記第１の突起が前記空洞内に収容された状態で積層されるシートと、
該シートの下方であり且つ前記基板上に前記所定間隔で２次元配置される金属薄板からなる擬似破裂音発生板であって、前記シート側に凸に湾曲し該湾曲姿勢を維持するように付勢された湾曲部を有し、前記ボタンを押下したとき、前記第２の突起よって下方に押されて前記基板側に凸に湾曲するとともに擬似破裂音を発し、前記ボタンを離したとき、前記金属薄板の弾性によって前記湾曲姿勢に復帰する擬似破裂音発生板とを備えたことを特徴とする擬似破裂音発生器。
【請求項３】
前記擬似破裂音発生板が、前記ボタンを離して前記湾曲姿勢に復帰するときにも、前記擬似破裂音を発するものであることを特徴とする請求項２に記載の擬似破裂音発生器。
【請求項４】
前記湾曲部が、該湾曲部の略中央において前記基板側に凸となる凸部を有し、
該凸部が、前記ボタンを離したときに前記基板との間に隙間を有するものであり、前記ボタンを押下したときに前記湾曲部が前記弾性により前記湾曲姿勢に復帰する範囲内で前記基板と当接するものであることを特徴とする請求項２または３に記載の擬似破裂音発生器。
【請求項５】
前記基板が、携帯電子機器を収容する携帯電子機器用ケースの外表面の少なくとも一部であることを特徴とする請求項２〜４のいずれか１項に記載の擬似破裂音発生器。
【考案の詳細な説明】
【技術分野】
【０００１】
本考案は気泡緩衝材を指で潰したときの破裂音を模した擬似破裂音を発する擬似破裂音発生器に関する。より詳しくは、表面に２次元配置された複数のボタンを備え、当該ボタンを押したときに擬似破裂音を発する擬似破裂音発生器に関する。
【背景技術】
【０００２】
従来、エアーキャップ（登録商標）やプチプチ（登録商標）と呼ばれる気泡緩衝材が広く知られている。この気泡緩衝材は、緩衝材としての利用される以外に気分転換やストレス発散のため、指で潰して破裂させる遊びに利用されることも広く知られている。
【０００３】
気泡緩衝材は一旦潰すと再利用はできないという観点より、特許文献１には、気泡を潰す感覚を何度でも繰り返して味わえるようにするため、複数のボタン付を有し、当該ボタンを押下したときに気泡緩衝材の破裂音を模した擬似破裂音を発生させるスピーカを内蔵した玩具が提案されている。
【先行技術文献】
【特許文献】
【０００４】
【特許文献１】実用新案登録第３１３４２２１号公報
【考案の概要】
【考案が解決しようとする課題】
【０００５】
そして、擬似破裂音を発する技術は、普段よく手に取る携帯電話、携帯音楽再生機、ＰＤＡ（Personal Digital Assistant）、スマートフォン（例えば、iPhone(登録商標)）等の携帯電子機器やそれらのケースに取り付けることにより、携帯電子機器を手にしたとき、擬似破裂音を発生させてあたかも玩具のように扱ったり、気分を紛らわせたり、手持無沙汰を解消することにも利用できる。
【０００６】
しかしながら、特許文献１に提案される技術では、内蔵されたスピーカや回路基板等を駆動させるための電源や電池が必要となり、擬似破裂音を発するための装置自体が大掛かりなものとなる。また、電源もしくは電池が使用できない場所や電池が寿命によって劣化した場合には利用することができない。
【０００７】
本考案の目的は、上記事情に鑑み、電源もしくは電池を利用することなく擬似破裂音を繰り返し発生できる擬似破裂音発生器を提案することである。
【課題を解決するための手段】
【０００８】
上記課題を解決するため、本考案による第１の擬似破裂音発生器は、携帯電子機器用ケースに取り付けられて擬似破裂音を発生する擬似破裂音発生器であって、表面に２次元配列されたボタンを有し、ボタンを押すと湾曲して擬似破裂音を発生し、ボタンを離すと復帰する擬似破裂音発生板を内蔵することを特徴とする。
【０００９】
上記課題を解決するため、本考案による第２の擬似破裂音発生器は、平坦な基板と、基板を覆う柔軟なカバーであって、カバー上に内側に空洞を有する複数の円柱状ボタンが所定間隔で２次元配置されたカバーと、基板とカバーとの間に積層されるシートであって、シートの表面において所定間隔で２次元配置される第１の突起と裏面において第１の突起と同位置に２次元配置される第２の突起とを有し、第１の突起が空洞内に収容された状態で積層されるシートと、シートの下方であり且つ基板上に所定間隔で２次元配置される金属薄板からなる複数の擬似破裂音発生板であって、シート側に凸に湾曲し湾曲姿勢を維持するように付勢された湾曲部を有し、ボタンを押下したとき、第２の突起よって下方に押されて基板側に凸に湾曲するとともに擬似破裂音を発し、ボタンを離したとき、金属薄板の弾性によって湾曲姿勢に復帰する擬似破裂音発生板とを備えたことを特徴とする。
【００１０】
ここで、本考案による第１および第２の擬似破裂音発生器における「擬似破裂音」とは、エアーキャップ（登録商標）あるいはプチプチ（登録商標）と呼ばれる気泡緩衝材を潰したときに発生する破裂音を模した音を意味する。また、本考案による第１の擬似破裂音発生器における「携帯用電子機器」とは、携帯電話、携帯音楽再生機、ＰＤＡ（Personal Digital Assistant）、スマートフォンと呼ばれるユーザが携帯する電子機器を意味する。また、本考案による第２の擬似破裂音発生器における「平坦な基板」とは、平坦な面のみを有する基板に限定されるものではなく、平坦な面を少なくとも有している基板を広く意味する。
【００１１】
また、本考案による第２の擬似破裂音発生器は、擬似破裂音発生板が、ボタンを離して湾曲姿勢に復帰するときにも、擬似破裂音を発するものであってもよい。また、本考案による第２の擬似破裂音発生器は、湾曲部が、湾曲部の略中央において基板側に凸となる凸部を有し、凸部が、ボタンを離したときに基板との間に隙間を有するものであり、ボタンを押下したときに湾曲部が弾性により湾曲姿勢に復帰する範囲内で基板と当接するものであってもよい。また、本考案による第２の擬似破裂音発生器は、基板が、携帯電子機器を収容する携帯電子機器用ケースの外表面の少なくとも一部であってもよい。
【考案の効果】
【００１２】
本考案による第１の擬似破裂音発生器によれば、携帯電子機器用ケースに取り付け、表面の２次元配列されたボタンを押すと、内蔵された擬似破裂音発生板が湾曲して擬似破裂音を発生し、ボタンを離すと復帰するため、電源あるいは電池を用いずに擬似破裂音を繰り返して発生できる。
【００１３】
本考案による第２の擬似破裂音発生器によれば、基板を覆う柔軟なカバーに２次元配置された複数の円柱状ボタンを押すと、円柱状ボタンの空洞内に収容された第１の突起および第２の突起が押され、カバー側に凸となる湾曲姿勢に付勢された擬似破裂音発生板の湾曲部が基板側に凸になるとともに擬似破裂音を発し、ボタンを離すと、弾性によって湾曲姿勢に復帰するため、電源あるいは電池を用いずに擬似破裂音を繰り返して発生できる。
【００１４】
また、本考案による第２の擬似破裂音発生器によれば、ボタンを押したときのみではなく、ボタンを離したときにも、電源あるいは電池を用いずに擬似破裂音を繰り返して発生することができる。また、本考案による第２の擬似破裂音発生器によれば、湾曲部の略中央において基板側に凸となる凸部が、ボタンを離したときは基板との間に隙間を有し、ボタンを押下したときに湾曲部が弾性により湾曲姿勢に復帰する範囲内で基板と当接するため、擬似破裂音発生板の動作が復帰可能な範囲に制限されるため、擬似破裂音の繰り返しを確実に実現できる。
【図面の簡単な説明】
【００１５】
【図１】擬似破裂音発生器の外観斜視図
【図２】擬似破裂音発生器の分解斜視図
【図３】ケース本体の外観斜視図
【図４】カバーの外観斜視図
【図５】シートの外観斜視図
【図６】ケース蓋の外観斜視図
【図７】擬似破裂音発生板の外観斜視図
【図８】擬似破裂音発生器の部分拡大断面斜視図
【考案を実施するための形態】
【００１６】
本考案に係る擬似破裂音発生器の実施形態について図面を用いて詳細に説明する。図１は携帯電子機器Ｄを収容するケースＣに適用した擬似破裂音発生器１の外観斜視図である。なお、擬似破裂音発生器１は、携帯電子機器ＤのケースＣへの適用に限定されるものではなく、ユーザが手に取る装置や電子機器の筐体や、それらのケースに適用してもよい。
【００１７】
擬似破裂音発生器１は、図１に示すように、ケースＣにおいて携帯電子機器Ｄを収容する側の反対側に取り付けられている。そして、ユーザは、ケースＣを手に取ったとき、擬似破裂音発生器１のボタン３１を押すことにより、あたかも気泡緩衝材を潰したような擬似破裂音を繰り返し発生させて楽しむことができる。擬似破裂音発生器１は、ケースＣの外表面の一部に取り付けてもよく、外表面の全部に取り付けてもよい。
【００１８】
図２はケースＣの分解斜視図である。図２の上図はケースＣを擬似破裂音発生器１側より見た斜視図、図２の下図はケースＣを携帯電子機器Ｄの収容側より見た斜視図である。擬似破裂音発生器１は、図２に示すように、携帯電子機器Ｄを収容するケース本体２、ケース本体２を覆うカバー３、ケース本体２とカバー３の間に積層されるシート４、カバー３およびシート４を収容したケース本体２に係合させるケース蓋５およびシート４の下方でケース本体２上に配置される複数の擬似破裂音発生板６から構成されている。そして、ケースＣは、ケース本体２上に擬似破裂音発生板６を２次元配置し、その上にシート４、カバー３の順で積層してケース蓋５をケース本体２に係合させて構成される。複数の擬似破裂音発生板６は、シート状のテープＴによって一括してケース本体２に固定される。
【００１９】
以下、各部品について詳細に説明するが、説明において表側とはケースＣを構成したときの図２における擬似破裂音発生器１側を意味し、裏側とはケースＣを構成したときの図２における携帯電子機器の収容側を意味する。最初にケース本体２について説明する。図３はケース本体２の外観斜視図である。図３の上図はケース本体２を裏側より見た斜視図、図３の下図はケース本体２を表側より見た斜視図である。ケース本体２は、裏側に携帯電子機器Ｄを収容する凹部状の裏側収容部２１を有している。裏側収容部２１には、携帯電子機器Ｄを収容した状態で、ユーザが携帯電子機器Ｄのボタン操作や、携帯電子機器Ｄへのコネクタ接続を可能にするための複数の切欠き２１１や、携帯電子機器Ｄでの撮影を可能にするための本体開口２１２が形成されている。
【００２０】
また、ケース本体２は、表側にカバー３およびシート４を受容する凹部状の表側収容部２２を有している。表側収容部２２は、図３に示すような平坦面を有しており、この表側収容部２２が、実用新案登録請求の範囲の請求項１が引用する基板に対応するものである。本実施形態では、請求項１が引用する基板がケースＣと一体な部材であるが、別部材として構成してもよい。
【００２１】
表側収容部２２には、ケース蓋５と係合するための複数の本体突起２２１が突設されている。ケース本体２の外形寸法は、長さ１２５．８ｍｍ程度、幅６０．６ｍｍ程度、高さ１２．５ｍｍ程度である。ケース本体２の外形寸法は、携帯電子機器Ｄの大きさにより適宜変更されるため、特に限定されるものではない。また、ケース本体２の材質は、射出成型が可能なプラスチック等の樹脂材料であるが、特に限定されるものではない。
【００２２】
次にカバー３について説明する。図４はカバー３の外観斜視図である。図４の上図はカバー３を表側より見た斜視図、図４の下図はカバー３を裏側より見た斜視図である。そして、カバー３の表側には複数の略円柱状のボタン３１が所定ピッチで千鳥状に２次元配置されている。また、カバー３の裏側には、ボタン３１と同位置に略円形の空洞３１ａが所定ピッチで千鳥状に２次元配置されている。ボタン３１の中心および空洞３１ａの中心はカバー３に垂直な同軸上に位置している。
【００２３】
また、カバー３は、略均一な厚みを有するシリコンラバーからなるものであり、厚みは１ｍｍ程度である。また、ボタン３１の直径は１０ｍｍ程度、高さは４ｍｍ程度である。また、空洞３１ａの内径は８ｍｍ程度、深さは４ｍｍ程度である。また、ボタン３１および空洞３１ａのピッチは１２ｍｍ程度である。また、カバー３には、本体突起２２１を挿通させてカバー３を表側収容部２２に対して位置決めする複数の貫通孔３２が形成されている。カバー３、ボタン３１および空洞３１ａの諸寸法は特に限定されるものではない。また、ボタン３１および空洞３１ａの２次元配置は千鳥状に限定されず、正方状であってもよい。
【００２４】
次にシート４について説明する。図５はシート４の外観斜視図である。図５の上図はシート４を表側から見た斜視図、図５の下図はシート４を裏側から見た斜視図である。シート４の表側には、複数の略円柱状の表側突起４１が千鳥状に２次元配置されている。また、シート４の裏側には、略円形の裏側凹部４２と裏側凹部４２の略中央に略円柱状の裏側突起４３とが千鳥状に２次元配置されている。表側突起４１、裏側凹部４２および裏側突起４３の各中心はシート４に垂直な同軸上に位置している。
【００２５】
また、シート４は、略均一な厚みを有するシリコンラバーからなるものであり、厚みは１ｍｍ程度である。また、表側突起４１の直径は４．５ｍｍ程度、高さは２ｍｍ程度である。また、裏側凹部４２の直径は９ｍｍ程度、の深さは０．５ｍｍ程度である。また、裏側突起４３の直径は２ｍｍ程度、高さは０．６ｍｍ程度である。また、シート４には、本体突起２２１を挿通させてカバー３を表側収容部２２に対して位置決めする貫通孔４４が複数形成されている。また、表側突起４１の諸寸法は、空洞３１ａ内に収容可能であれば、特に限定されるものではない。また、裏側凹部４２および裏側突起４３の寸法も特に限定されるものではない。また、ボタン３１および空洞３１ａの２次元配置が正方状であれば、表側突起４１、裏側凹部４２および裏側突起４３も正方状の２次元配置となる。
【００２６】
次にケース蓋５について説明する。図６はケース蓋５の外観斜視図である。図６の上図はケース蓋５を表側より見た斜視図、図６の下図はケース蓋５を裏側より見た斜視図である。ケース蓋５には、カバー３およびシート４を収容した状態でケース本体２に係合させたときにボタン３１が露出するように、複数の円形のボタン開口５１が千鳥状に２次元配置されている。また、ケース蓋５には、ケース本体２と同様に、携帯電子機器Ｄを収容した状態で撮影を可能にするための蓋開口５２が形成されている。
【００２７】
ケース蓋５は、ケース本体２と同じ材料で形成されており、裏側に本体突起２２１が挿入される孔５３を有する複数の凸部５４が突設されている。ケース蓋５は、孔５３に本体突起２２１を挿入することにより、ケース本体２に係合される。ボタン開口５１の直径はボタン３１の直径と同じ、もしくは、ボタン３１の直径よりも０．１〜０．３ｍｍ程度大きいものである。また、ボタン開口５１のピッチはボタン３１のピッチと同じである。また、ボタン３１が方形状に２次元配置されたときは、ボタン開口５１も方形状の２次元配置となる。
【００２８】
次に擬似破裂音発生板６について説明する。図７の上図は表側収容部２２上に千鳥状に２次元配置された複数の擬似破裂音発生板６を示している。図７の下図は擬似破裂音発生板６を示している。擬似破裂音発生板６は、ステンレス等の金属薄板からなり、押圧されて変形したときに、金属薄板の振動によって気泡緩衝材を潰したような擬似破裂音を発生するものである。擬似破裂音発生板６のピッチはボタン３１と同じであり、ボタン３１の２次元配置が方形状のときは、擬似破裂音発生板６の２次元配置も方形状となる。複数の擬似破裂音発生板６は、テープＴによって表側収容部２２上に固定されている。
【００２９】
擬似破裂音発生板６は、周囲に表側収容部２２と接触する縁部６１および縁部６１から連続する湾曲部６２を有している。また、湾曲部６２は、図７の下図において紙面奥側に向かって凸となる凸部６２ａを略中央に有している。
【００３０】
図８は擬似破裂音発生器１の部分拡大断面図である。シート４およびカバー３を受容した状態でケース本体２にケース蓋５を係合させると、図８に示すように、ボタン３１の空洞３１ａ内に表側突起４１が収容され、裏側突起４３の略真下に擬似破裂音発生板６が配置される。また、ボタン３１、空洞３１ａ、表側突起４１、裏側凹部４２、裏側突起４３および擬似破裂音発生板６の各中心は、擬似破裂音発生器１に垂直な同軸上に位置決めされる。
【００３１】
縁部６１は、図８に示すように、一方の端が表側収容部２２と接触した状態でシート４側に立ちあがっている。また、湾曲部６２は、縁部６１は他方の端から連続しており、シート４側に凸に湾曲し湾曲姿勢を維持するように付勢されている。湾曲部６２は、ボタン３１が押下されないとき、縁部６１によって持ち上げられるため、表側収容部２２とは非接触となっている。また、表側収容部２２側に凸となる凸部６２ａもボタン３１が押下されないときは表側収容部２２との間に隙間を有している。
【００３２】
擬似破裂音発生器１の作用について説明する。ユーザがボタン３１を押下することにより、変形したボタン３１に押されて空洞３１ａ内の表側突起４１および裏側突起４３が、表側収容部２２側、すなわち下方に移動する。これにより、裏側突起４３が略真下の湾曲部６２を押圧し、押圧された湾曲部６２が、凸部６２ａが表側収容部２２に当接する位置まで表側収容部２２側に凸に変形するとともに、振動によって擬似破裂音を発生する。そして、ユーザがボタン３１を離すと、湾曲部６２は、金属薄板の弾性によって元のシート４側に凸の湾曲状態に復帰するととともに、振動によって擬似破裂音を発生する。また、凸部６２ａの高さは、湾曲部６２が自らの弾性によって復帰できる変形範囲となるように調整されている。
【００３３】
以上に述べた通り、本実施形態によれば、ボタン３１を押すと、空洞３１ａ内に収容された表側突起４１および裏側突起４３が押され、湾曲部６２が表側収容部２２側に凸になるとともに擬似破裂音を発し、ボタン３１を離すと、弾性によって湾曲姿勢に復帰するため、電源あるいは電池を用いずに擬似破裂音を繰り返して発生できる。
【００３４】
また、本実施形態によれば、ボタン３１を押したときだけではなく、ボタン３１を離したときにも、電源あるいは電池を用いずに擬似破裂音を繰り返して発生させることができる。また、本実施形態によれば、ボタン３１を押したとき、湾曲部６２が湾曲姿勢に復帰できる範囲内で凸部６２ａが表側収容部２２と当接するため、擬似破裂音の繰り返しを確実に実現できる。
【符号の説明】
【００３５】
Ｃ      ケース
Ｄ      携帯電子機器
１      擬似破裂音発生器
２      ケース本体
３      カバー
４      シート
２２    表側受容部（基板）
３１    ボタン
３１ａ  空洞
４１    表側突起
４３    裏側突起
６      擬似破裂音発生板
６２    湾曲部
６２ａ  凸部
【図１】
0003183862.tif 000003
【図２】
0003183862.tif 000004
【図３】
0003183862.tif 000005
【図４】
0003183862.tif 000006
【図５】
0003183862.tif 000007
【図６】
0003183862.tif 000008
【図７】
0003183862.tif 000009
【図８】
0003183862.tif 000010
【手続補正書】
【提出日】平成25年3月26日(2013.3.26)
【手続補正１】
【補正対象書類名】実用新案登録請求の範囲
【補正対象項目名】全文
【補正方法】変更
【補正の内容】
【実用新案登録請求の範囲】
【請求項１】
携帯電子機器用ケースに取り付けられて擬似破裂音を発生する擬似破裂音発生器であって、表面に２次元配列されたボタンを有し、該ボタンの下方において上方に凸となるように復元習性を持った湾曲部を有する擬似破裂音発生板を内蔵し、前記湾曲部が、前記ボタンを押すと該ボタンにより下方に押されて下方に凸に反転湾曲して前記擬似破裂音を発生し、前記ボタンを離すと前記擬似破裂音発生板自身の復元習性によって復帰する擬似破裂音発生器。
【請求項２】
平坦な基板と、
該基板を覆う柔軟なカバーであって、該カバー上に内側に空洞を有する複数の円柱状ボタンが所定間隔で２次元配置されたカバーと、
前記基板と前記カバーとの間に積層されるシートであって、該シートの表面において前記所定間隔で２次元配置される第１の突起と裏面において該第１の突起と同位置に２次元配置される第２の突起とを有し、前記第１の突起が前記空洞内に収容された状態で積層されるシートと、
該シートの下方であり且つ前記基板上に前記所定間隔で２次元配置される金属薄板からなる擬似破裂音発生板であって、前記シート側に凸に湾曲し該湾曲姿勢を維持するように付勢された湾曲部を有し、前記ボタンを押下したとき、前記第２の突起よって下方に押されて前記基板側に凸に湾曲するとともに擬似破裂音を発し、前記ボタンを離したとき、前記金属薄板の弾性によって前記湾曲姿勢に復帰する擬似破裂音発生板とを備えたことを特徴とする擬似破裂音発生器。
【請求項３】
前記擬似破裂音発生板が、前記ボタンを離して前記湾曲姿勢に復帰するときにも、前記擬似破裂音を発するものであることを特徴とする請求項２に記載の擬似破裂音発生器。
【請求項４】
前記湾曲部が、該湾曲部の略中央において前記基板側に凸となる凸部を有し、
該凸部が、前記ボタンを離したときに前記基板との間に隙間を有するものであり、前記ボタンを押下したときに前記湾曲部が前記弾性により前記湾曲姿勢に復帰する範囲内で前記基板と当接するものであることを特徴とする請求項２または３に記載の擬似破裂音発生器。
【請求項５】
前記基板が、携帯電子機器を収容する携帯電子機器用ケースの外表面の少なくとも一部であることを特徴とする請求項２〜４のいずれか１項に記載の擬似破裂音発生器。